(57)【特許請求の範囲】
【請求項１】
発射位置にある遊技球を発射するための発射槌と、該発射槌を一方向へ回転させる回転体と、前記発射位置にて前記遊技球を支持する第１支持部及び第２支持部とを備える遊技球発射装置において、
前記発射槌の構成としては、前記遊技球を打球する発射ヘッドと、前記回転体の回転軸に係合する軸部と、前記発射ヘッドを固定する第１槌構成部と、該第１槌構成部を先端側に連成するとともに前記軸部を基端に連成する第２槌構成部とを含み、
前記発射槌の各構成の配置としては、前記第２槌構成部を前記回転軸の半径方向へのびるように配置するとともに、前記第１槌構成部を前記第２槌構成部から前記回転軸の軸方向へのびるように配置し、且つ前記発射ヘッドを前記回転軸の周方向の接線方向へ向くように配置し、
前記第１支持部及び前記第２支持部の配置としては、前記第１支持部を前記発射ヘッドの回転軌跡及び前記回転軸の間となる回転軌跡内側で前記第２槌構成部に対し前記回転軸の前記軸方向に所定の間隔をあけるように、且つ少なくとも前記発射槌の回転の妨げにならないように配置するとともに、前記第２支持部を前記回転軌跡外側で前記第１支持部の対向位置に配置し、
前記遊技球の発射としては、前記発射ヘッド及び前記第１槌構成部を前記発射槌の回転の都度、前記第１支持部と前記第２支持部との間を通過させるとともに、前記発射位置にある前記遊技球を前記発射ヘッドにて打球し発射する
ことを特徴とする遊技球発射装置。
【請求項２】
請求項１に記載の遊技球発射装置において、
前記遊技球を前記発射位置へと送り出す球送り手段を備えるとともに、前記発射槌の構成としては、該発射槌の回転の都度、前記球送り手段に作用して前記遊技球の球送りを協働する作用部を更に含む
ことを特徴とする遊技球発射装置。
【請求項３】
請求項１又は請求項２に記載の遊技球発射装置を備えた
ことを特徴とする遊技機。
【発明の詳細な説明】
【技術分野】
【０００１】
本発明は、発射位置へ送り出された遊技球を遊技盤上へ打ち出すための遊技球発射装置、及びそれを備えた遊技機に関する。
【背景技術】
【０００２】
下記特許文献１には、遊技球を遠心力によって遊技盤上へ発射する遊技球発射装置が開示されている。この装置は、発射モータの回転軸に基端が固定されて一方向へと一回転する発射アームと、発射アームの先端に設けられて発射まで遊技球を収容する球収容部と、発射アーム及び球収容部の回転に伴う遊技球の移動を案内する発射レールと、球収容部に設けられ発射直前まで遊技球の発射を抑制する抑制部と、球収容部へ遊技球を供給する球供給部とを備えて構成されている。
【０００３】
遊技球発射装置は、遊技者による発射ハンドルの操作に伴って発射距離を変化させるために、発射アームの回転速度が変化するように制御されている。特許文献１の装置の場合、発射アームの先端に球収容部を有することから、発射アームが回転したままで、また、回転速度が変化する状況下で球収容部に遊技球をタイミングよく且つ確実に収容することは困難である。このため、遊技球を球収容部に収容する際には、発射アームの回転を一度止めてから球収容部に遊技球を供給するように構成・制御されている。
【０００４】
尚、球供給部は、遊技球を球収容部へと供給する必要があることから、これをどこに配設してもよいというわけでなく、特許文献１においては遊技球を確実に収容できる位置として装置上部に配設されている。
【先行技術文献】
【特許文献】
【０００５】
【特許文献１】特開２００６−１２２０６８号公報
【発明の概要】
【発明が解決しようとする課題】
【０００６】
ところで、上記従来技術にあっては、遊技球を確実に球収容部に収容するためとして発射アームの回転を一度止めるようにしていることから、制御プログラムが複雑になってしまうという問題点を有している。制御プログラムが複雑になってしまうのは、回転する発射アームに対してこの回転を妨げるようなストッパを設けることができないという構造上の理由があるからである（発射アームの回転を止めるためのストッパを設けると、遊技球を発射する度に発射アームを一回転させることができなくなってしまう。従って、遊技球を遊技盤上へ遠心力によって発射するためには、複雑な制御プログラムにより発射アームの回転を一度止める必要があることになる）。
【０００７】
また、上記従来技術にあっては、遊技球を収容する球収容部に抑制部を設ける必要があるとともに、回転に伴う遊技球の移動を発射レールにより案内する必要があることから、構造面でも複雑化してしまうという問題点を有している（球収容部、抑制部、及び発射レール（遊技球を発射させる前の案内に使用する部分）は、遊技球を遠心力によって遊技盤上へ発射するために有用であるが、反面、構造の複雑化を招いてしまうことになる）。
【０００８】
この他、上記従来技術にあっては、球供給部を装置上部に配設していることから、この配置を保つために遊技機における遊技球発射装置の配置に制限がでてしまうという問題点を有している。また、遊技球発射装置の配置に制限がでるようであれば、遊技球の発射角度にも制限がでてしまうという問題点を有している。従って、上記従来技術にあっては、配置が限られて汎用性に乏しいという問題点を有している。
【０００９】
本発明は、上記した事情に鑑みてなされたもので、簡単な構造であっても遊技球の発射を可能とするとともに、発射槌を回転させる場合にも問題なく遊技球の発射を可能とする遊技球発射装置、及びそれを備えた遊技機を提供することを課題とする。また、様々な位置に配置可能で汎用性の高い遊技球発射装置、及びそれを備えた遊技機を提供することを課題とする。
【課題を解決するための手段】
【００１０】
上記課題を解決するために、本発明の遊技球発射装置は、発射位置にある遊技球を発射するための発射槌と、該発射槌を一方向へ回転させる回転体と、前記発射位置にて前記遊技球を支持する第１支持部及び第２支持部とを備える遊技球発射装置において、前記発射槌の構成としては、前記遊技球を打球する発射ヘッドと、前記回転体の回転軸に係合する軸部と、前記発射ヘッドを固定する第１槌構成部と、該第１槌構成部を先端側に連成するとともに前記軸部を基端に連成する第２槌構成部とを含み、前記発射槌の各構成の配置としては、前記第２槌構成部を前記回転軸の半径方向へのびるように配置するとともに、前記第１槌構成部を前記第２槌構成部から前記回転軸の軸方向へのびるように配置し、且つ前記発射ヘッドを前記回転軸の周方向の接線方向へ向くように配置し、前記第１支持部及び前記第２支持部の配置としては、前記第１支持部を前記発射ヘッドの回転軌跡及び前記回転軸の間となる回転軌跡内側で前記第２槌構成部に対し前記回転軸の前記軸方向に所定の間隔をあけるように、且つ少なくとも前記発射槌の回転の妨げにならないように配置するとともに、前記第２支持部を前記回転軌跡外側で前記第１支持部の対向位置に配置し、前記遊技球の発射としては、前記発射ヘッド及び前記第１槌構成部を前記発射槌の回転の都度、前記第１支持部と前記第２支持部との間を通過させるとともに、前記発射位置にある前記遊技球を前記発射ヘッドにて打球し発射することを特徴とする。
【００１１】
また、本発明の遊技球発射装置は、前記遊技球を前記発射位置へと送り出す球送り手段を備えるとともに、前記発射槌の構成としては、該発射槌の回転の都度、前記球送り手段に作用して前記遊技球の球送りを協働する作用部を更に含むことを特徴とする。
【００１２】
以上のような特徴を有する本発明によれば、第１支持部及び第２支持部により遊技球が支持される。支持された遊技球は発射位置に位置することになり、一方向に回転する発射槌の第１槌構成部に固定された発射ヘッドにより打球される。発射槌は、この回転が妨げられることはない。本発明によれば、遊技球は遠心力により遊技盤上へと発射されるのではなく、発射ヘッドにて打球されて発射されることから、比較的簡素な構造で発射することが可能になる。遊技球は発射位置にて支持され、そして、打球されることから、遠心力を利用する場合のように回転を一度止める必要性はない。遊技球は発射槌と共に回転するものでなく、発射位置にて支持された状態になることから、遊技球の支持が可能であれば遊技球発射装置の配設位置や発射角度を様々にすることが可能になる。
【００１３】
また、本発明によれば、発射槌が回転する都度、遊技球が発射位置へと送り出される。遊技球の供給は発射槌の回転に連動することから、遊技球は確実に発射位置へと送り出される。
【００１４】
そして、本発明の遊技機は、上記特徴を有する遊技球発射装置を備えたことを特徴とする。
【発明の効果】
【００１５】
本発明によれば、遊技球を打球により発射することから、従来よりも構造を簡素化することができるという効果を奏する。また、本発明によれば、発射槌を回転させる場合にも問題なく遊技球を発射することができるという効果を奏する。また、本発明によれば、従来よりも制御プログラムを簡素化することができるという効果を奏する。また、本発明によれば、遊技球発射装置の配設位置や発射角度を様々にして汎用性を高めることができるという効果を奏する。また、本発明によれば、遊技球を確実に発射位置へと送り出すことができるという効果を奏する。
【００１６】
また、本発明によれば、上記特徴を有する遊技球発射装置を備えた遊技機を提供することができるという効果を奏する。
【図面の簡単な説明】
【００１７】
【図１】本発明の遊技球発射装置を含む遊技機の正面図である。
【図２】図１の遊技機の斜視図である。
【図３】遊技球発射装置の遊技機正面側から見た場合の分解斜視図である。
【図４】遊技球発射装置の遊技機背面側から見た場合の分解斜視図である。
【図５】図３の発射槌及びベース部材の拡大図である。
【図６】図３の球送り手段の拡大図である。
【図７】遊技球発射装置の初期位置の図（一部破断面を含む）であり、（ａ）は平面図、（ｂ）は正面図である。
【図８】遊技球発射装置の初期位置の図（一部破断面を含む）であり、（ａ）は斜視図、（ｂ）は側面図である。
【図９】遊技球発射装置の初期位置の図（ベース部材側を省略）であり、（ａ）は斜視図、（ｂ）は側面図である。
【図１０】遊技球発射装置の初期位置の図（ベース部材側を省略）であり、（ａ）は斜視図、（ｂ）は正面図である。
【図１１】遊技球発射装置の発射ヘッド当接位置の図（一部破断面を含む）であり、（ａ）は平面図、（ｂ）は正面図である。
【図１２】遊技球発射装置の発射ヘッド当接位置の図（一部破断面を含む）であり、（ａ）は斜視図、（ｂ）は側面図である。
【図１３】遊技球発射装置の発射ヘッド離間位置の図（一部破断面を含む）であり、（ａ）は平面図、（ｂ）は正面図である。
【図１４】遊技球発射装置の発射ヘッド離間位置の図（一部破断面を含む）であり、（ａ）は斜視図、（ｂ）は側面図である。
【図１５】発射槌及び球送り手段の作用説明図であり、（ａ）は作用前の状態説明図、（ｂ）は作用中の状態説明図である。
【図１６】球送り手段の構成にバネを付加した例を示す図である。
【発明を実施するための形態】
【００１８】
以下、図面を参照しながら一実施形態を説明する。図１は本発明の遊技球発射装置を含む遊技機の正面図、図２は遊技機の斜視図である。
【００１９】
図１及び図２において、遊技機２０１（パチンコ機）は、外枠２０２と、遊技盤２０３を設けてなる内枠２０４と、この内枠２０４を覆う前面枠２０５とを備えて構成されている。内枠２０４は、ヒンジ機構２０６により外枠２０２に対して前面側に開閉可能に取り付けられている。また、前面枠２０５は、内枠２０４に対して開閉可能に取り付けられている。引用符号２０７は内枠２０４及び前面枠２０５を施錠する施錠装置のシリンダ錠を示している。前面枠２０５の表示窓２０８の下方には、遊技球を貯留するとともに本発明の遊技球発射装置１へ遊技球を供給するための供給皿２０９が設けられている。また、供給皿２０９の下方には、供給皿２０９の余剰球を貯留するための貯留皿２１０が設けられている。貯留皿２１０の両側には、遊技盤２０３上に遊技球を打ち出す際の弾発力を調節するための操作ハンドル２１１と、例えばタバコを収容するための灰皿２１２とが設けられている。
【００２０】
遊技盤２０３は、略方形状に形成されている。遊技盤２０３には、所定の幅員のレール２１３によって略円形に区画される遊技領域２１４が形成されている。遊技領域２１４には、センター役物２１５が設けられている。遊技領域２１４の略中央領域には、可変表示装置２１６（図柄表示装置）が設けられている。この可変表示装置２１６の下方には、入賞装置２１７（電チュー）が設けられている。入賞装置２１７は、可変表示装置２１６の特別図柄を変動させる始動入賞口として設けられている。このような入賞装置２１７の下方には、扉部材を開閉して多量の入賞を可能とする大入賞口２１８（アタッカー）が設けられている。大入賞口２１８の側方には、一般入賞口２１９（チャッカー）を備えた電飾装置（サイドランプ）が設けられている。一方、可変表示装置２１６の側方には、検知スイッチを備えた球通過ゲート２２０（スルーチャッカー）や風車２２１が設けられている。遊技領域２１４の最下端には、入賞口に入賞しなかった遊技球が流入するアウト口２２２が設けられている。
【００２１】
遊技盤２０３の下方には、遊技球を遊技盤２０３上（遊技領域２１４）に打ち出すための本発明の遊技球発射装置１が取り付けられている。遊技球発射装置１は、供給皿２０９から導かれた遊技球の供給によって、この供給された遊技球を所定の発射位置へと送り出し、そして、打ち出す（打球して発射する）ことができるように構成されている。
【００２２】
以下、図３ないし図１６を参照しながら遊技球発射装置１について説明をする。図３及び図４は遊技球発射装置１の分解斜視図、図５及び図６は遊技球発射装置１の各構成に係る図、図７ないし図１０は遊技球発射装置１の初期位置に係る図、図１１及び図１２は遊技球発射装置１の発射ヘッド当接位置に係る図、図１３及び図１４は遊技球発射装置１の発射ヘッド離間位置に係る図、図１５及び図１６は球送り手段に係る図である。
【００２３】
図３及び図４において、遊技球発射装置１は、発射槌２と、この発射槌２を一方向へ一回転させる発射モータ３（特許請求の範囲に記載した回転体に相当）と、一方の面側に発射槌２を回転自在に配置し他方の面に発射モータ３を固定するベース部材４と、発射位置に供給された遊技球５（図７参照）を支持するとともに発射後の案内をする発射レール６（特許請求の範囲に記載した第２支持部に相当）と、遊技球５を発射位置へと送り出す球送り手段７とを含んで構成されている。先ず、上記各構成部材について説明をする。
【００２４】
図３ないし図５において、発射槌２は、発射モータ３の回転軸８に挿入されて係合する略円筒形状の軸部９を有している。この軸部９の外周面には、槌１０と凸部１１とがそれぞれ異なる方向にのびるように連成されている。槌１０は、発射モータ３に近い側に配置されている。また、凸部１１は、槌１０よりも軸方向で発射モータ３から離れる側に配置されている。槌１０には、遊技球５を打球するための発射ヘッド１２が固定されている。槌１０は、先端側の第１槌構成部１３と、軸部９に連成される第２槌構成部１４とを有している。第１槌構成部１３には、発射ヘッド１２が固定されている。
【００２５】
第２槌構成部１４から先に説明すると、この第２槌構成部１４は、正面視略く字状に屈曲する帯板に形成されている。帯板の平面は、回転軸８に対して直交する面となるように配置されている。第２槌構成部１４は、回転軸８の半径方向に延設されている。第２槌構成部１４は、この基端が軸部９に連成されている。一方、第１槌構成部１３は、第２槌構成部１４の正面側の平面に、また、第２槌構成部１４の先端位置に連成されている。第１槌構成部１３は、この連成方向が回転軸８に対して平行になるように配置されている。第１槌構成部１３は、第２槌構成部１４の先端側から回転軸８の軸方向に屈曲するように形成されている。第１槌構成部１３は、発射レール６と球送り手段７側の後述する球支持部２５との間を通過することができるように形成されている。このような第１槌構成部１３の側部には、同じく発射レール６と球支持部２５との間を通過する発射ヘッド１２が固定されている。発射ヘッド１２は、回転軸８の周方向でこの周の接線方向に向くように配置されている。発射ヘッド１２は、略截頭円錐形状に形成されている。第２槌構成部１４は、上記配置や第１槌構成部１３の配置からも分かるように、第２槌構成部１４の先端における回転軌跡が発射ヘッド１２の回転軌跡とは別の位置で軌跡を描くようになっている。
【００２６】
凸部１１は、槌１０に比べて十分に短く形成されている。凸部１１は、この正面側の面に作用部１５を固定することができるように形成されている。作用部１５は、発射槌２が一回転する毎に球送り手段７に作用して遊技球５の球送りを協働することができるように形成されている。このような作用部１５は、凸部１１に固定される本体１６と、本体１６の軸部１７に挿入されて球送り手段７の後述する被作用部３８に当接する当接リング１８と、当接リング１８の抜けを規制する抜け止め１９とを備えて構成されている。
【００２７】
ベース部材４は、方形の板部材であって、発射モータ３を固定するためのモータ固定部２０と、発射レール６を固定するためのレール固定部２１と、球送り手段７を固定するための複数の球送り手段固定部２２とを有している。モータ固定部２０には、発射モータ３の一部が露出し回転軸８が突出する穴部２３が貫通形成されている。尚、発射モータ３は、例えばステッピングモータ等の公知のものが用いられるものとする。
【００２８】
レール固定部２１は、遊技球５の発射位置に合わせて発射レール６を固定することができるように配置形成されている。レール固定部２１は、発射ヘッド１２の回転軌跡上に遊技球５の発射位置が重なるように配置されている。発射レール６は、略Ｍ字状となる形状に形成されている。発射レール６は、このような形状であることから、Ｖ字状の溝２４を有している。溝２４の一端は、遊技球５の発射位置として、後述する球支持部２５と共に遊技球５を支持することができるように形成されている。遊技球５は、本形態において、溝２４で２箇所、球支持部２５では１箇所の合計３箇所にて支持されるようになっている（支持の数は一例であるものとする）。遊技球５は、安定した状態で支持されるようになっている。複数の球送り手段固定部２２は、球送り手段７とベース部材４の一方の面とを所定の間隔をあけて対向させることができるような例えば柱形状に形成されている。レール固定部２１や複数の球送り手段固定部２２は、発射槌２の回転の妨げにならない位置に配置されている。
【００２９】
図３、図４、及び図６において、球送り手段７は、上記の如く遊技球５を発射位置へと送り出す（供給する）ことの他に、遊技球５の発射位置として遊技球５を支持する球支持部２５（特許請求の範囲に記載した第１支持部に相当）を有するように構成されている。球送り手段７は、本形態において、正面側が矩形に開口し背面側の壁外面に上記球支持部２５が突出形成される球送りケース２６と、この球送りケース２６の開口を覆う球送り蓋２７と、球送りケース２６及び球送り蓋２７の内部に収容され且つ後述する被作用部３８が外部に突出する球送り２８と、球送り２８を回動自在に軸支する軸支部２９とを有している。
【００３０】
球支持部２５は、球送りケース２６の背面側の壁外面から、この壁外面に直交するようにベース部材４の一方の面側へ向けて突出する突起（凸部）であって、本形態においては断面略コ字状となる形状に形成されている（形状は一例であるものとする）。球支持部２５の突出先端は、遊技球５を支持する部分として形成されている。球支持部２５は、発射ヘッド１２の回転軌跡の内側に位置するように配置されている（球支持部２５は、発射ヘッド１２及び第１槌構成部１３の回転軌跡と回転軸８との間に位置するように配置されている）。これに対して発射レール６は、発射ヘッド１２の回転軌跡の外側に位置するように配置されている。球支持部２５は、遊技球５に対する支持位置が発射レール６の同支持位置と合うように形成されている。発射位置にある遊技球５は、この球心が発射ヘッド１２の回転軌跡上に合うように支持されるようになっている。球支持部２５は、ベース部材４の一方の面に対して所定の間隔をあけるように、また、第２槌構成部１４に対し回転軸８の軸方向に所定の間隔をあけるように配置形成されている（少なくとも発射槌２の回転の妨げにならないように、言い換えれば球支持部２５とベース部材４との間を第２槌構成部１４及び発射ヘッド１２が通過可能なように配置形成されている）。発射レール６は、発射ヘッド１２の回転軌跡の外側に配置されていることから、発射槌２の回転の妨げにならず、本形態においては球送りケース２６の背面側の壁外面に対して近づくように配置されている（回転軸８の軸方向のコンパクト化を図っている）。
【００３１】
尚、球支持部２５をベース部材４側に設けることも可能であるものとする。この場合、第１槌構成部１３は、第２槌構成部１４の先端側から回転軸８の軸方向に且つベース部材４側に屈曲するように形成するものとする。
【００３２】
このような球支持部２５の基端近傍には、上記壁を貫通するように球導出口３０が形成されている。球導出口３０は、略正方形状に貫通するように形成されており、遊技球５が発射位置へと送り出される際に通過するようになっている。球送りケース２６の側壁３１には、比較的大きく開口する切り欠き部３２が形成されている。切り欠き部３２は、球送り２８の後述する被作用部３８を図面の上下方向に移動させることができるように形成されている。
【００３３】
球送り蓋２７は、矩形の平板として形成されている。このような球送り蓋２７には、球送り手段７の内部に遊技球５を導入するための球導入口３３が貫通形成されている。球導入口３３は、略正方形状に貫通するように形成されている。また、球導入口３３は、球導出口３０よりも正面視において上方に配置されている。軸支部２９は、この一端が球送り蓋２７の固定穴３４に固定され、また、他端が球送りケース２６の固定穴３５に固定されている。軸支部２９に軸支された状態の球送り２８は、球導入口３３側に形成されて遊技球５を受け止め且つこの受け止めにより遊技球５を待機状態にする球受け部３６と、球受け部３６の下側に配置形成される球通過穴３７と、切り欠き部３２を介して外部へ突出する被作用部３８とを有している。
【００３４】
球送り２８における被作用部３８は、自重方向の移動（図面下方への移動）範囲が球送りケース２６の略中央に配置されるリブ４０（上下にのびるリブ）によって規制されるようになっている（尚、図面上方への移動は、図１６に示すようなストッパ部４１を用いて規制してもよいものとする）。この規制時において、球導入口３３の位置にある遊技球５は、球受け部３６により受け止められて待機状態となるようになっている。待機状態にある遊技球５が球通過穴３７に収容されるのは、被作用部３８が上方へと移動する時であり、この上方への移動は被作用部３８に発射槌２の作用部１５が作用する時である。略正方形状に貫通する球通過穴３７に収容された状態の遊技球５は、被作用部３８が上方から下方へと移動する時に球通過穴３７から転がりだして導出口３０を通過するようになっている。
【００３５】
次に、上記構成及び構造に基づきながら、遊技球発射装置１に係る組み付け作業について説明をする（図７及び図８を参照）。遊技球発射装置１は、ベース部材４の他方の面に発射モータ３を固定するとともに、予め組み付けておいた発射槌２をベース部材４の一方の面側から回転軸８に固定し（発射槌２を回転軸８の基端側に固定することで、発射槌２の回転を安定させることができる）、この後に、発射レール６をレール固定部２１に固定するとともに、予め組み付けておいた球送り手段７を複数の球送り手段固定部２２に固定することにより組み付けが完了するようになっている。そして、図２に示すように、遊技機２０１の所定位置に取り付けられるようになっている。
【００３６】
続いて、図７ないし図１５を参照しながら、遊技球発射装置１の動作について説明をする。尚、動作についての説明は、遊技球発射装置１における発射槌２の初期位置、発射ヘッド１２の当接位置、及び、発射ヘッド１２の離間位置それぞれについて説明をする。
【００３７】
図７ないし図１０において、初期位置では遊技球５が発射位置にある。遊技球５は、発射レール６と球支持部２５とにより支持され、発射ヘッド１２にて打球されるのを待つ状態にある。発射槌２が図面時計回り方向に回転し（一定方向に一回転するように回転し）、発射ヘッド１２の当接位置となると、すなわち発射位置にある遊技球５を打球して発射がなされると、図１１及び図１２に示すように発射が完了する。この時、発射槌２の作用部１５は、発射槌２の回転に伴って被作用部３８に当接する直前の状態になる。また、上記の発射がなされるまでは、次に発射される遊技球５が球受け部３６によって受け止められた状態になる。
【００３８】
図１３及び図１４において、発射がなされ発射ヘッド１２が発射位置に対して離間する位置になると、作用部１５が被作用部３８に作用する。これにより、被作用部３８が図中上方へ押し上げられる。待機状態にある遊技球５は、球送り２８の球通過穴３７に収容される（球送り２８の移動は図１５参照）。作用部１５の被作用部３８に対する作用が解除されると、球送り２８はこの自重によって図中下方へと移動する。これにより、遊技球５は、球導出口３０を介して発射位置へと転がりだす。送り出しが完了すると、遊技球５は発射位置にて発射レール６と球支持部２５とにより支持される。尚、球送り２８の下方への移動は、自重により行う他に、図１６に示すようなバネ部材３９を用いてもよいものとする（遊技球発射装置１の配設位置に応じてバネ部材３９の有り無しを使い分けることができるものとする）。
【００３９】
発射槌２は、遊技者による操作ハンドル２１１の操作により決まる回転速度にもよるが、連続的に一方向へ一回転して遊技球５を次々と打球し、遊技球５を遊技盤２０３（図２参照）へ向けて発射する。発射槌２の回転に関しては、上記初期位置において、発射槌２の位置を検出することが可能な位置検出装置（図示省略）を設け、タイミングを合わせて一度停止させてから回転させるようにしてもよいものとする。
【００４０】
本発明は本発明の主旨を変えない範囲で種々変更実施可能なことは勿論である。
【符号の説明】
【００４１】
１…遊技球発射装置
２…発射槌
３…発射モータ（回転体）
４…ベース部材
５…遊技球
６…発射レール（第２支持部）
７…球送り手段
８…回転軸
９…軸部
１０…槌
１１…凸部
１２…発射ヘッド
１３…第１槌構成部
１４…第２槌構成部
１５…作用部
１６…本体
１７…軸部
１８…当接リング
１９…抜け止め
２０…モータ固定部
２１…レール固定部
２２…球送り手段固定部
２３…穴部
２４…溝
２５…球支持部（第１支持部）
２６…球送りケース
２７…球送り蓋
２８…球送り
２９…軸支部
３０…球導出口
３１…側壁
３２…切り欠き部
３３…球導入口
３４、３５…固定穴
３６…球受け部
３７…球通過穴
３８…被作用部
３９…バネ部材
４０…リブ
４１…ストッパ部
【図１】
0005498737.tif 000002
【図２】
0005498737.tif 000003
【図３】
0005498737.tif 000004
【図４】
0005498737.tif 000005
【図５】
0005498737.tif 000006
【図６】
0005498737.tif 000007
【図７】
0005498737.tif 000008
【図８】
0005498737.tif 000009
【図９】
0005498737.tif 000010
【図１０】
0005498737.tif 000011
【図１１】
0005498737.tif 000012
【図１２】
0005498737.tif 000013
【図１３】
0005498737.tif 000014
【図１４】
0005498737.tif 000015
【図１５】
0005498737.tif 000016
【図１６】
0005498737.tif 000017